(57)【要約】【課題】軸筒２の側面に設けた支持部２ｂに係止したクリップ４を、軸筒２とクリップ４との間に介在させた弾発部材５により、クリップ４の先端部４ｅを軸筒２の側面側に向かって常時弾発する構造のクリップ付筆記具１において、クリップ４の後端部４ｃ側を摘みやすい構造とする。【解決手段】クリップ４の後端部４ｃ側に係止受部４ｅを設け、クリップ４の巾より巾広な表面板６ａを有する装飾部材６の裏側に係止突部６ｃを設け、クリップ４と装飾部材６とを係止受部４ｅに係止突部６ｃを係止させ一体とすることにより、装飾部材６の表面板６ａをクリップ４を開閉させる摘み部と成す。【選択図】図３
2011245662.tif 000002
【特許請求の範囲】
【請求項１】
軸筒の側面に設けた支持部に係止したクリップを、軸筒とクリップとの間に介在させた弾発部材により、クリップの先端部を軸筒の側面側に向かって弾発する構造のクリップ付筆記具において、前記クリップの後端部側に係止受部を設け、前記クリップの巾より巾広な表面板を有する装飾部材の裏側に係止突部を設け、前記クリップと前記装飾部材とを前記係止受部に前記係止突部を係止させ一体とすることにより、前記装飾部材の表面板を前記クリップを開閉させる摘み部と成したことを特徴とするクリップ付筆記具。
【請求項２】
前記装飾部材の表面板の表面を平坦とし、当該表面板の表面に印刷部を設けたことを特徴とする請求項１に記載のクリップ付筆記具。
【発明の詳細な説明】
【技術分野】
【０００１】
本発明は、軸筒の側面にクリップを有するクリップ付筆記具に関し、さらに詳細には軸筒の側面に設けた支持部に係止したクリップを、軸筒とクリップとの間に介在させた弾発部材により、クリップの先端部を軸筒の側面側に向かって弾発する構造のクリップ付筆記具に関するものである。
【背景技術】
【０００２】
最近では、例えば特開２００６−１３０８００号公報に記載がある筆記具のように、軸筒の側面に設けた支持部にクリップを係止し、クリップと軸筒との間に介在させたコイルスプリングなどの弾発部材によって、クリップの先端部が軸筒の側面側に弾発される構成としたクリップ付筆記具が市場に多く存在しており、このクリップは、洗濯ばさみのように厚手のものを挟めることから好まれている。しかしながら、この様なクリップは、挟持力を上げるために弾発部材の弾発力を強くした場合や、あるいは寒さで手がかじかんだ時には、クリップの後端部側を摘むという操作が行いにくい場合があった。
【先行技術文献】
【特許文献】
【０００３】
【特許文献１】特開２００６−１３０８００号公報
【発明の概要】
【発明が解決しようとする課題】
【０００４】
本発明では、軸筒の側面に設けた支持部に係止したクリップを、軸筒とクリップとの間に介在させた弾発部材により、クリップの先端部を軸筒の側面側に向かって弾発する構造のクリップ付筆記具において、クリップの後端部側を摘みやすい構造とすることを目的とした。
【課題を解決するための手段】
【０００５】
本発明は、
「１．軸筒の側面に設けた支持部に係止したクリップを、軸筒とクリップとの間に介在させた弾発部材により、クリップの先端部を軸筒の側面側に向かって弾発する構造のクリップ付筆記具において、前記クリップの後端部側に係止受部を設け、前記クリップの巾より巾広な表面板を有する装飾部材の裏側に係止突部を設け、前記クリップと前記装飾部材とを前記係止受部に前記係止突部を係止させ一体とすることにより、前記装飾部材の表面板を前記クリップを開閉させる摘み部と成したことを特徴とするクリップ付筆記具。
２．前記装飾部材の表面板の表面を平坦とし、当該表面板の表面に印刷部を設けたことを特徴とする１項に記載のクリップ付筆記具。」である。
【０００６】
装飾部材をクリップに装着する方法としては、装飾部材の表面板の裏側に係止突起を形成すると共にクリップに係止孔を形成して係止突起を係止孔に嵌着させる方法や、装飾部材の表面板の裏側に二つの向い合う鉤状の係止突起を形成してクリップの側面を係止受部として抱持させる方法などがあるが、クリップを開閉する際に、係止突起の先端が軸筒の側面に当接して開閉操作を妨げてしまわない構造とすることが肝要である。尚、装飾部材の表面板は、巾が広く面積が大きい方がクリップを開閉する際における指への負担を軽減できるものとなる。
【発明の効果】
【０００７】
１項に係る発明は、クリップの後端部側に、クリップの巾より巾広の表面板を有する装飾部材を装着することで、クリップの後端部側が摘みやすい構造となる。また２項に係る発明では、クリップの開閉が行いやすくなるのと同時に、筆記具を胸ポケットに挿した際におけるクリップの上部正面という、目立つ位置に名入れを行うことができるものとなった。
【図面の簡単な説明】
【０００８】
【図１】図１は本実施例のクリップ付筆記具の斜視図である。
【図２】図２は図１の組立時の図である。
【図３】図３はクリップを開閉する際の図である。
【図４】図４はクリップに装飾部材を装着した状態でクリップを開く際に力が掛かる面積をハッチングで現わした図である。
【図５】図５はクリップに装飾部材を装着しない状態でクリップを開く際に力が掛かる面積をハッチングで現わした図である。
【発明を実施するための形態】
【０００９】
クリップの後端部側に、クリップの巾より巾広の表面板を有する装飾部材を装着することで、クリップの後端部側を摘みやすい構造を実現した。
【実施例】
【００１０】
次に図面を参照しながら本実施例の説明を行う。図中の同じ部材、同じ部品については、同じ符号としてある。本実施例では筆記具としてノック式ボールペンを例にあげて述べるが、本発明は以下の実施例に限定されるものではない。
【００１１】
図１に示すようにボールペン１は、軸筒２の後端開口部２ａから突出させたノック体３を押圧することにより、図示しないが軸筒先端からペン先を突出させることができるノック式のボールペンである。また、軸筒２の側面には支持部２ｂを突設してあり、軸筒２の側面に配したクリップ４の側壁４ａに形成した貫通孔４ｂに支持部２ｂを挿着し、クリップ４の後端部４ｃ側と軸筒２との間に介在させたコイルスプリング５によって、クリップ４の先端部４ｄが後軸筒４の側面を弾発するようにしてある。尚、本実施例では、クリップ４の後端部４ｃ側に装飾部材６を装着してあり、装飾部材６の表面板６ａには「Ｐ」のロゴ６ｂを印刷してある。
【００１２】
図２は、クリップ４に装飾部材６を取り付ける状態の図で、装飾部材６の表面板６ａの裏側に突設した係止突部６ｃを、クリップ４の後端部４ｃに係止受部として穿孔した係止孔４ｅに嵌入させると共に、係止突起６ｃの先端に形成した返し部６ｄをクリップ４の裏面に当接させることで、図１に示すように装飾部材６をクリップ４に嵌着してある。
【００１３】
図３は、本実施例のボールペン１のクリップ４にて、複数枚の紙７を挟持させる際の図であるが、図に示すようにボールペン１は、クリップ４の後端部４ｃ側の装飾部材６の表面板６ａを摘み部として、指に負担が掛かることなくコイルスプリング５を圧縮し、軸筒２の支持部２ｂを支点にクリップ４の先端部４ｄ側を開くことができた。図４は、図３の操作状態において指がボールペン１に接触している面積をハッチングで模式的に現わした図で、指が装飾部材６の表面板６ａの広い面に当接し（破線状のハッチング部分）、指に掛かる圧力が分散していることが解る。これに対し図５は、クリップ４に装飾部材６を取り付けずに操作したときの図で、指が装飾部材６のクリップ４の後端部４ｃの狭い範囲に当接し（破線状のハッチング部分）、指の中央部に圧力が集中して指に負担が掛かっていることが解る。
【産業上の利用可能性】
【００１４】
本発明のクリップ付筆記具の構造は、クリップ付の化粧具や塗布具等に採用することも可能である。
【符号の説明】
【００１５】
１…ボールペン、２…軸筒、２ａ…後端開口部、２ｂ…支持部、
３…ノック体、
４…クリップ、４ａ…側壁、４ｂ…貫通孔、４ｃ…後端部、
４ｄ…先端部、４ｅ…係止孔、
５…コイルスプリング、
６…装飾部材、６ａ…表面板、６ｂ…ロゴ、６ｃ…係止突部、
６ｄ…返し部、７…紙。
【図１】
2011245662.tif 000003
【図２】
2011245662.tif 000004
【図３】
2011245662.tif 000005
【図４】
2011245662.tif 000006
【図５】
2011245662.tif 000007